(57)【特許請求の範囲】
【請求項１】
背表紙、前記背表紙の幅方向における一端部側に形成される表表紙、および前記背表紙の幅方向における他端部側に形成される裏表紙を有し、前記背表紙の幅方向における中央部分、前記表表紙において前記背表紙の近傍部分、および前記裏表紙において前記背表紙の近傍部分が、それぞれ折り曲げ可能に形成された表紙に取り付けられる綴じ具であって、
前記背表紙の内側部分であって幅方向における中央部分より一方側部分に固着され、フック部分を有するロック部材が一体的に形成された合成樹脂からなる一方の本体、
前記背表紙の内側部分であって幅方向における中央部分より他方側部分に固着され、前記一方の本体とともに開閉可能に設けられる合成樹脂からなる他方の本体、
前記一方の本体に取り付けられ、円弧状の複数のプロングが一体的に形成された一方のプロング部材、
前記他方の本体に取り付けられ、円弧状の複数のプロングが一体的に形成された他方のプロング部材、および
前記他方の本体に摺動可能に設けられ、前記フック部分を引っ掛けることができるように形成され、前記フック部分が引っ掛かるように一方向に付勢され、前記フック部分が外れるように前記一方向とは反対側の方向に摺動するレバー部材を備え、
前記レバー部材は、摺動部と引掛部とばね部とを備え、
前記摺動部は、レバー部材が前記本体に摺動可能に設けられるように形成され、
前記引掛部は、前記フック部分を引っ掛けることができるように前記摺動部に形成され、
前記ばね部は、前記フック部分が前記引掛部に引っ掛かるように、前記摺動部を一方向に付勢するように形成され、
前記摺動部、前記引掛部および前記ばね部は、一体的に形成された、綴じ具。
【請求項２】
前記レバー部材は、前記摺動部を摺動する際に摘まれるつまみ部を備え、
前記つまみ部は、前記フック部分が前記引掛部から外れるように前記摺動部を前記ばね部の付勢力に抗して前記一方向とは反対側の方向に摺動する際に摘まれるように形成された、請求項１に記載の綴じ具。
【請求項３】
前記一方のプロング部材および前記他方のプロング部材は、それぞれ、円弧状の２つのプロングが直線状の１つの接続部の両端からのびて形成され、
前記一方のプロング部材は、その２つのプロングを前記一方の本体に形成されたプロング用孔に挿入することによって前記一方の本体に取り付けられ、
前記他方のプロング部材は、その２つのプロングを前記他方の本体に形成されたプロング用孔に挿入することによって前記他方の本体に取り付けられた、請求項１または請求項２に記載の綴じ具。
【請求項４】
前記一方のプロング部材および前記他方のプロング部材は、それぞれ、円弧状の２つのプロングが直線状の１つの接続部の両端からのびて形成され、
前記一方の本体は、前記一方のプロング部材における２つのプロングを挿入するためのプロング用孔を形成され、且つ接続部を嵌め込むための接続部用凹部を形成され、
前記他方の本体は、前記他方のプロング部材における２つのプロングを挿入するためのプロング用孔を形成され、且つ接続部を嵌め込むための接続部用凹部を形成された、請求項１ないし請求項３のいずれかに記載の綴じ具。
【請求項５】
前記一方のプロング部材及び他方のプロング部材は、円弧状の２つのプロングが直線状の１つの接続部の両端からのびる略コ字状に形成された、請求項１ないし請求項４のいずれかに記載の綴じ具。
【発明の詳細な説明】
技術分野
[0001]この発明は綴じ具に関し、特に、背表紙の幅方向における中央部分が折り曲げ可能に形成された表紙に取り付けられる綴じ具であって、複数の円弧状のプロングを有し、たとえば紙などの被綴じ物に形成された綴じ穴にプロングを通して紙などの被綴じ物を綴じるファイル・バインダ類に用いられる綴じ具に関する。
背景技術
[0002]この発明の背景となる従来のバインダの綴じ具には、ヒンジを介して互いに開閉可能に接続され、それぞれにバインダの表紙が取り付けられる合成樹脂からなる一対の背部と、一対の背部にリベットで取り付けられた一対の金属板と、一対の金属板にそれぞれ取り付けられた金属からなる円弧状の複数のプロングと、一方の背部にリベットで取り付けられ、２段のフック部分を有する金属からなるロック部材と、他方の背部に摺動可能に設けられ、ロック部材を挿通するための切欠を有し、ロック部材の２段のフック部分のいずれかを引っ掛けることができる金属からなるラッチ部材と、ロック部材の２段のフック部分のいずれかがラッチ部材に引っ掛かるようにラッチ部材を一方向に付勢するための金属からなるヘアピンばねと、押すことによってロック部材のフック部分がラッチ部材から外れるようにラッチ部材をヘアピンばねの付勢力に抗して一方向とは反対側の方向に摺動させるための合成樹脂からなるキーとを備え、ラッチ部材にロック部材の２段のフック部分のいずれかが引っ掛かっている状態または２段のフック部分のいずれもが引っ掛かっていない状態によって、一対の背部ないしは複数のプロングを完全に閉じた状態、完全に閉じた状態と完全に開いた状態との中間の状態、または、完全に開いた状態で保持することができるものがあった（例えば特許文献１参照）。
この従来の綴じ具を用いたバインダでは、綴じ具の一対の背部ないしは複数のプロングを完全に閉じた状態と完全に開いた状態との中間の状態で保持すれば、綴じられている紙などが緩められるので、綴じられている紙などがめくりやすく、そのため、綴じられている紙などの表裏面に表示されている情報などが閲覧しやすい。
[0003]特許文献１：米国特許第4,352,582号公報
発明の開示
発明が解決しようとする課題
[0004]上述の従来のバインダの綴じ具では、合成樹脂からなる一対の背部、リベットで取り付けられる一対の金属板、金属からなる複数のプロング、リベットで取り付けられる金属からなるロック部材、金属からなるラッチ部材、金属からなるヘアピンばね、および合成樹脂からなるキーを備えているように、部品点数が多い構造なので、組み立てることが煩雑であり、製造に高価なコストがかかってしまう。
[0005]それゆえに、この発明の主たる目的は、組み立てやすく、安価に製造することができる綴じ具を提供することである。
課題を解決するための手段
【０００６】
この発明にかかる綴じ具は、背表紙、前記背表紙の幅方向における一端部側に形成される表表紙、および前記背表紙の幅方向における他端部側に形成される裏表紙を有し、前記背表紙の幅方向における中央部分、前記表表紙において前記背表紙の近傍部分、および前記裏表紙において前記背表紙の近傍部分が、それぞれ折り曲げ可能に形成された表紙に取り付けられる綴じ具であって、前記背表紙の内側部分であって幅方向における中央部分より一方側部分に固着され、フック部分を有するロック部材が一体的に形成された合成樹脂からなる一方の本体、前記背表紙の内側部分であって幅方向における中央部分より他方側部分に固着され、前記一方の本体とともに開閉可能に設けられる合成樹脂からなる他方の本体、前記一方の本体に取り付けられ、円弧状の複数のプロングが一体的に形成された一方のプロング部材、前記他方の本体に取り付けられ、円弧状の複数のプロングが一体的に形成された他方のプロング部材、および前記他方の本体に摺動可能に設けられ、前記フック部分を引っ掛けることができるように形成され、前記フック部分が引っ掛かるように一方向に付勢され、前記フック部分が外れるように前記一方向とは反対側の方向に摺動するレバー部材を備え、前記レバー部材は、摺動部と引掛部とばね部とを備え、前記摺動部は、レバー部材が前記本体に摺動可能に設けられるように形成され、前記引掛部は、前記フック部分を引っ掛けることができるように前記摺動部に形成され、前記ばね部は、前記フック部分が前記引掛部に引っ掛かるように、前記摺動部を一方向に付勢するように形成され、前記摺動部、前記引掛部および前記ばね部は、一体的に形成された、綴じ具である。
この発明にかかる綴じ具では、合成樹脂からなる一方の本体、合成樹脂からなる他方の本体、一方のプロング部材、他方のプロング部材およびレバー部材というように部品点数が少ないので、組み立てやすく、安価に製造することができる。
さらに、この発明にかかる綴じ具では、レバー部材は、前記摺動部を摺動する際に摘まれるつまみ部を備え、前記つまみ部は、前記フック部分が前記引掛部から外れるように前記摺動部を前記ばね部の付勢力に抗して前記一方向とは反対側の方向に摺動する際に摘まれるように形成されてもよい。このように綴じ具を形成すれば、レバー部材の摺動部やばね部などを別々に形成する場合に比べて、部品点数が少なくなるので、組み立てやすく、安価に製造することができる。
また、この発明にかかる綴じ具では、前記一方のプロング部材および前記他方のプロング部材は、それぞれ、円弧状の２つのプロングが直線状の１つの接続部の両端からのびて形成され、前記一方のプロング部材は、その２つのプロングを前記一方の本体に形成されたプロング用孔に挿入することによって前記一方の本体に取り付けられ、前記他方のプロング部材は、その２つのプロングを前記他方の本体に形成されたプロング用孔に挿入することによって前記他方の本体に取り付けられてもよい。このようにすれば、綴じ具を組み立てる際に本体に対してプロングを位置決めしやすくなる。
また、この発明にかかる綴じ具では、前記一方のプロング部材および前記他方のプロング部材は、それぞれ、円弧状の２つのプロングが直線状の１つの接続部の両端からのびて形成され、前記一方の本体は、前記一方のプロング部材における２つのプロングを挿入するためのプロング用孔を形成され、且つ接続部を嵌め込むための接続部用凹部を形成され、前記他方の本体は、前記他方のプロング部材における２つのプロングを挿入するためのプロング用孔を形成され、且つ接続部を嵌め込むための接続部用凹部を形成されてもよい。このようにすれば、綴じ具を組み立てる際に本体に対してプロングを位置決めしやすくなる。
発明の効果
[0007]この発明によれば、組み立てやすく、安価に製造することができる綴じ具が得られる。
[0008]この発明の上述の目的、その他の目的、特徴および利点は、図面を参照して行う以下の発明を実施するための最良の形態の説明から一層明らかとなろう。
【図面の簡単な説明】
[0009]
［図１］この発明が適用されるファイルの一例を示す斜視図である。
［図２］図１に示すファイルの平面図である。
［図３］図１に示すファイルの綴じ具を完全に閉じた状態を示す平面図解図である。
［図４］図１に示すファイルの綴じ具を完全に閉じた状態を示す正面図解図である。
［図５］図１に示すファイルの綴じ具を完全に閉じた状態と完全に開いた状態との中間の状態を示す平面図解図である。
［図６］図１に示すファイルの綴じ具を完全に閉じた状態と完全に開いた状態との中間の状態を示す正面図解図である。
［図７］図１に示すファイルの綴じ具を完全に開いた状態を示す平面図解図である。
［図８］図１に示すファイルの綴じ具を完全に開いた状態を示す正面図解図である。
［図９］図１に示すファイルに用いられる綴じ具の斜視図である。
［図10］図９に示す綴じ具の分解斜視図である。
［図11］図９に示す綴じ具に用いられる一方の本体の底面図である。
［図12］図９に示す綴じ具に用いられる一方の本体の左側面図である。
［図13］図９に示す綴じ具に用いられる他方の本体およびレバー部材を示す斜視図である。
［図14］図９に示す綴じ具に用いられる他方の本体の底面図である。
［図15］この発明が適用されるファイルの他の例を示す平面図である。
符号の説明
[0010]
10  ファイル
12  表紙
12a  表表紙
12b  裏表紙
12c  背表紙
12c1  第１の背表紙部分
12c2  第２の背表紙部分
14a、14b  固定部
16a、16b、16c  折曲部
18a  第１の固定部分
18b  第２の固定部分
20  綴じ具
22a  一方の本体
22b  他方の本体
24a、24b  基部
26a、26b  側部
28a、28b  溶着部
30a、30b  取付用孔
32  ロック部材
34a、34b  フック部分
34a1、34b1  平面
34a2、34b2  斜面
38  ロック部材用孔
40  摺動部用溝
42  引掛部用孔
44  ばね部孔
44a  突出部
46a、46b  プロング用孔
48a、48b  接続部用凹部
50a、50b  補強用リブ
52a、52b  固定部用切欠部
60a、60b  プロング部材
62a、62b  プロング
64a、64b  接続部
70  レバー部材
72  摺動部
72a  端部
72b  凹部
74  引掛部
74a  平面
74b  斜面
76  ばね部
78  つまみ部
78a  胴部
78b  引掛片
発明を実施するための最良の形態
[0011]図１はこの発明が適用されるファイルの一例を示す斜視図であり、図２はそのファイルの平面図であり、図３および図４はそのファイルの綴じ具を完全に閉じた状態を示す平面図解図および正面図解図であり、図５および図６はそのファイルの綴じ具を完全に閉じた状態と完全に開いた状態との中間の状態を示す平面図解図および正面図解図であり、図７および図８はそのファイルの綴じ具を完全に開いた状態を示す平面図解図および正面図解図であり、図９および図10はそのファイルに用いられる綴じ具の斜視図および分解斜視図であり、図11および図12はその綴じ具に用いられる一方の本体の底面図および左側面図であり、図13はその綴じ具に用いられる他方の本体およびレバー部材を示す斜視図であり、図14はその綴じ具に用いられる他方の本体の底面図である。
[0012]図１に示すファイル10は、たとえばポリプロピレン（PP）などの合成樹脂からなる表紙12を含む。表紙12は、矩形状の表表紙12aおよび矩形状の裏表紙12bを含む。表表紙12aおよび裏表紙12bは、縦長の長方形状の背表紙12cの幅方向における一端部側および他端部側からのびて形成される。表表紙12aは、背表紙12c側の部分（後述の第１の固定部分18a）の主面が背表紙12cにおいて表表紙12a側の部分（後述の第１の背表紙部分12c1）の主面に対してたとえば100度の角度を有するように、溶着固定された固定部14aを介して背表紙12cに形成される。固定部14aは、表表紙12aおよび背表紙12c間において表紙12の上端から下端にわたって直線状に形成される。同様に、裏表紙12bも、背表紙12c側の部分（後述の第２の固定部分18b）の主面が背表紙12cにおいて裏表紙12b側の部分（後述の第２の背表紙部分12c2）の主面に対してたとえば100度の角度を有するように、溶着固定された固定部14bを介して背表紙12cに形成される。この固定部14bは、裏表紙12bおよび背表紙12c間において表紙12の上端から下端にわたって直線状に形成される。なお、これらの固定部14aおよび14bは、平行に形成される。
[0013]また、表表紙12aには、背表紙12cの近傍部分において、表紙12の上端から下端にわたって直線状に、折り曲げ可能な薄肉状の折曲部16aが形成される。同様に、裏表紙12bにも、背表紙12cの近傍部分において、表紙12の上端から下端にわたって直線状に、折り曲げ可能な薄肉状の折曲部16bが形成される。さらに、背表紙12cには、幅方向における中央部分において、表紙12の上端から下端にわたって直線状に、折り曲げ可能な薄肉状の折曲部16cが形成される。この折曲部16cは、後述の綴じ具20の一方の本体22aおよび他方の本体22bなどを開閉する際に中心軸となる部分である。なお、これらの折曲部16a、16bおよび16cは、固定部14aおよび14bとともに互いに平行に形成される。
[0014]表表紙12aにおいて、固定部14aと折曲部16aとの間の部分が、第１の固定部分18aとして形成される。同様に、裏表紙12bにおいて、固定部14bと折曲部16bとの間の部分が、第２の固定部分18bとして形成される。第１の固定部分18aおよび第２の固定部分18bは、表紙12の上端から下端にのびて同じ大きさの短冊状に形成される。
さらに、背表紙12cにおいて、固定部14aと折曲部16cとの間の部分が第１の背表紙部分12c1として形成され、固定部14bと折曲部16cとの間の部分が第２の背表紙部分12c2として形成される。第１の背表紙部分12c1および第２の背表紙部分12c2も、表紙12の上端から下端にのびて同じ大きさの短冊状に形成される。
したがって、第１の固定部分18aおよび第１の背表紙部分12c1は、それらの主面間の角度が100度になるように固定される。同様に、第２の固定部分18bおよび第２の背表紙部分12c2も、それらの主面間の角度が100度になるように固定される。
[0015]この表紙12を製造するためには、たとえば、まず、表表紙12a、裏表紙12bおよび背表紙12cを平面状に広げた大きさ・形状の合成樹脂シートからなる表紙部材が形成される。そして、その表紙部材において、折曲部16a、16bおよび16cの内側部分になるそれぞれの部分に、たとえば断面Ｖ字状の溝をそれぞれ形成することによって、薄肉状の折曲部16a、16bおよび16cが形成される。さらに、その表面部材において固定部14aおよび14bとなる部分の内側部分に加熱した刃を当ててその部分を溶融し、表面部材において加熱した刃で溶融した部分の両側の部分の主面が所定の角度（100度）になるように表面部材を折り曲げた状態で溶着固定することによって、固定部14aおよび14bが形成される。このようにして表紙12が製造される。
[0016]表紙12の内側部分には、図１および図２に示すように、綴じ具20が固着される。綴じ具20は、背表紙12cの内側であって表表紙12a側すなわち左側に配置される一方の本体22aおよび背表紙12cの内側であって裏表紙12b側すなわち右側に配置される他方の本体22bを含む。一方の本体22aおよび他方の本体22bは、図９に示すように、たとえばポリプロピレン（PP）などの合成樹脂で左右略対称形状に形成される。
[0017]一方の本体22aは、図10に示すように、縦長の長方形板状の基部24aを含み、基部24aは、底面および右側面間の角度がたとえば80度になるように形成される。また、基部24aは、第１の背表紙部分12c1に対向させるために、幅が第１の背表紙部分12c1の幅と略同じ幅に形成され、長さが第１の背表紙部分12c1の長手方向における長さの略３分の１の長さに形成される。この基部24aには、表紙12の第１の固定部分18aに対向させる左端から立ち上がるように、板状の側部26aが一体的に形成される。側部26aは、表紙12の第１の固定部分18aに対向させるために、幅が第１の固定部分18aの幅と略同じ幅に形成され、長さが第１の固定部分18aの長手方向における長さの略３分の１の長さに形成される。基部24aおよび側部26aは、それらの主面間の角度がたとえば100度になるように形成される。基部24aにおいて第１の背表紙部分12c1に対向させる底面には、図11に示すように、４角枠状の溶着部28aが形成される。この溶着部28aは、あらかじめ基部24aの底面から４角枠状に突出するように溶着部用リブを形成しておき、その溶着部用リブを背表紙12cの内側部分において折曲部16cの左側の第１の背表紙部分12c1の中央部に押し当てながらそれらを超音波で溶着することによって形成される。そのため、溶着部28aによって、一方の本体22aが表紙12の背表紙12cの内側部分において第１の背表紙部分12c1の中央部に固着される。
[0018]同様に、他方の本体22bも、図13に示すように、縦長の長方形板状の基部24bを含み、この基部24bは、底面および左側面間の角度がたとえば80度になるように形成される。基部24bは、幅が第２の背表紙部分12c2の幅と略同じ幅に形成され、長さが第２の背表紙部分12c2の長手方向における長さの略３分の１の長さに形成される。この基部24bには、表紙12の第２の固定部分18bに対向させる右端から立ち上がるように、板状の側部26bが一体的に形成される。側部26bは、幅が第２の固定部分18bの幅と略同じ幅に形成され、長さが第２の固定部分18bの長手方向における長さの略３分の１の長さに形成される。基部24bおよび側部26bも、それらの主面間の角度がたとえば100度になるように形成される。基部24bにおいて第２の背表紙部分12c2に対向させる底面にも、図14に示すように、４角枠状の溶着部28bが形成される。この溶着部28bは、あらかじめ基部24bの底面から４角枠状に突出するように溶着部用リブを形成しておき、その溶着部用リブを背表紙12cの内側部分において折曲部16cの右側の第２の背表紙部分12c2の中央部に押し当てながらそれらを超音波で溶着することによって形成される。そのため、溶着部28bによって、他方の本体22bが表紙12の背表紙12cの内側部分において第２の背表紙部分12c2の中央部に固着される。
[0019]このように綴じ具20の一方の本体22aおよび他方の本体22bは、表紙12の背表紙12cにおいて折曲部16cの両側の第１の背表紙部分12c1および第２の背表紙部分12c2に固着される。したがって、綴じ具20の一方の本体22aおよび他方の本体22bは、図３〜図８に示すように、背表紙12cの折曲部16cを中心軸として、表紙12の表表紙12a、裏表紙12bおよび背表紙12cとともに回動ないしは開閉することができる。
[0020]また、一方の本体22aおよび他方の本体22bは、図３および図４に示すように、それらを完全に閉じた状態において、基部24aの右側面と基部24bの左側面とが当接するとともに、側部26aおよび26bが平行した状態になるように、表紙12の背表紙12cに固着されている。
[0021]なお、基部24aには、図10に示すように、その長手方向に間隔を隔てて、２つの取付用孔30aおよび30aが、基部24aの両主面を貫通するように形成される。同様に、基部24bにも、図13に示すように、その長手方向に間隔を隔てて、２つの取付用孔30bおよび30bが、基部24aの両主面を貫通するように形成される。そして、これらの取付用孔30a、30a、30bおよび30bと表紙12の背表紙12cとにリベットなどの固着具を通して、それらの固着具で一方の本体22aおよび他方の本体22bが表紙12の背表紙12cに固着されてもよい。このようにリベットなどの固着具が用いられる場合には、上述の溶着部用リブや溶着部28aおよび28bは形成されなくてもよい。
[0022]一方の本体22aの基部24aにおいて右側すなわち他方の本体22b側の上部には、図３および図10に示すように、基部24aの右端より基部24aの幅の略半分程の長さだけ他方の本体22b側に突き出るようにして、たとえばポリプロピレン（PP）などの合成樹脂からなる一対のロック部材32および32が、基部24aの長手方向に間隔を隔てて本体22aと一体的に形成される。これらのロック部材32および32は、一方の本体22aと他方の本体22bとを完全に閉じた状態などで保持する際に用いられるためのものであり、それぞれ、背表紙12cの折曲部16cを中心軸とする円弧状に形成される。また、これらのロック部材32および32は、それぞれ、たとえば２段のフック部分34aおよび34bを有する。
一方のフック部分34aは、ロック部材32の根元および先端の中間部において、一方の本体22aの長手方向における一端側（表紙12の下端側）に向かって突出するように直角３角形状に形成され、左側に一方の本体22aの長手方向に平行する平面34a1を有し、その平面34a1より右側に右肩上がりに傾斜する傾斜面34a2を有する。このフック部分34aは、一方の本体22aおよび他方の本体22bを完全に閉じた状態で保持する際に用いられるものである。
また、他方のフック部分34bは、ロック部材32の先端において、一方のフック部分34aと同様に、一方の本体22aの長手方向における一端側（表紙12の下端側）に向かって突出するように直角３角形状に形成され、左側に一方の本体22aの長手方向に平行する平面34b1を有し、その平面34b1より右側に右肩上がりに傾斜する傾斜面34b2を有する。このフック部分34bは、一方の本体22aおよび他方の本体22bを完全に閉じた状態と完全に開いた状態との中間の状態で保持する際に用いられるものである。
なお、これらのフック部分34aおよび34bは、一方の本体22aおよび他方の本体22bを完全に開いた状態では用いられない。
[0023]他方の本体22bの基部24bには、図３および図13に示すように、その長手方向に間隔を隔てて、２つのロック部材用孔38および38が形成される。これらのロック部材用孔38および38は、一方の本体22aおよび他方の本体22bが開閉する際にロック部材32および32が邪魔にならないように出入りするための孔であり、ロック部材32および32に対応した位置に形成される。
[0024]また、他方の本体22bの基部24bは、図10および図13に示すように、ロック部材用孔38および38より左側すなわち一方の本体22a側の部分が厚肉状に形成され、その厚肉状の部分の下部には、長手方向における一端から他端近傍にわたって直線状に、断面矩形状の摺動部用溝40が形成される。さらに、基部24bには、摺動部用溝40の上部において、摺動部用溝40に通じるように、２つの引掛部用孔42および42と１つのばね部用孔44とが間隔を隔てて形成される。この場合、２つの引掛部用孔42および42は、２つのロック部材32および32のフック部分34a、34bに対応した位置を含む位置に縦長に形成される。また、ばね部用孔44は、２つの引掛部用孔42および42よりも基部24bの長手方向における他端側（表紙12の上端側）に形成される。また、基部24bにおいて、近接する引掛部用孔42とばね部用孔44との間には、下方に突出した突出部44aが形成される。
[0025]一方の本体22aの側部26aには、図10に示すように、その長手方向に間隔を隔ててかつその高さ方向における中間に、後述の一方のプロング部材60aの２つのプロング62aおよび62aを挿入するための２つのプロング用孔46aおよび46aが、側部26aの左右面（両主面）を貫通するように形成される。この側部26aにおいて表紙12の第１の固定部分18aに対向する左面部分には、図12に示すように、その長手方向に沿ってかつその高さ方向における中間に、２つのプロング用孔46aおよび46a間を直線状にわたって、後述の一方のプロング部材60aの接続部64aを嵌め込むための接続部用凹部48aが形成される。また、側部26aの左面上には、格子状の補強リブ50aが形成される。この補強用リブ50aの端面は、表紙12の第１の固定部分18aの内面に面接触される。また、補強用リブ50aが表紙12の固定部14aに当らないようにするために、補強用リブ50aの下部には、固定部用切欠部52aが形成される。
[0026]同様に、他方の本体22bの側部26bにも、図10および図13に示すように、その長手方向に間隔を隔ててかつその高さ方向における中間に、後述の他方のプロング部材60bの２つのプロング62bおよび62bを挿入するための２つのプロング用孔46bおよび46bが、側部26bの左右面（両主面）を貫通するように形成される。この場合、２つのプロング用孔46bおよび46bは、側部26bの長手方向など中心軸に平行する方向に見て、一方の本体22aの側部26aに形成される２つのプロング用孔46aおよび46aが隔てられる間隔より狭い間隔を隔てて、２つのプロング用孔46aおよび46aで挟まれる２つのプロング用孔46aおよび46aの内側に形成される。また、側部26bにおいて表紙12の第２の固定部分18bに対向する右面部分には、図10に示すように、その長手方向に沿ってかつその高さ方向における中間に、２つのプロング用孔46bおよび46b間を直線状にわたって、後述の他方のプロング部材60bの接続部64bを嵌め込むための接続部用凹部48bが形成される。さらに、側部26bの右面上にも、格子状の補強リブ50bが形成される。この補強用リブ50bの端面は、表紙12の第２の固定部分18bの内面に面接触される。また、補強用リブ50bが表紙12の固定部14bに当らないようにするために、補強用リブ50bの下部にも、固定部用切欠部52bが形成される。
[0027]一方の本体22aには、たとえばステンレスなどの金属からなる略コ字状の一方のプロング部材60aが取り付けられる。プロング部材60aは、図10に示すように、金属からなる円弧状の２つのプロング62aおよび62aを含む。２つのプロング62aおよび62aは、金属からなる直線状の１つの接続部64aの両端からのびて、接続部64aとともに略コ字状に一体的に形成される。この場合、２つのプロング62aおよび62aは、２つのプロング用孔46aおよび46aの間隔に対応した間隔を隔てて形成される。また、接続部64aは、接続部用凹部48aの形状に対応した形状に形成される。プロング部材60aは、たとえばプレス加工によって金属板を所定の形状に打抜くとともに所定の形状に成型することによって形成される。このプロング部材60aは、２つのプロング62aおよび62aを一方の本体22aの側部26aの左両側から２つのプロング用孔46aおよび46aに挿入し、接続部64aを接続部用凹部48aに嵌め込むことによって、一方の本体22aに簡単に取り付けられる。また、２つのプロング62aおよび62aは、それぞれ、表紙12の第１の固定部分18a側から第２の固定部分18b側に向かうようにのびて、背表紙12cの折曲部16cを中心軸として背表紙12c側とは反対側に膨らむ円弧状に形成される。
[0028]同様に、他方の本体22bにも、一方のプロング部材60aと同様構造の他方のプロング部材60bが取り付けられる。このプロング部材60bの円弧状の２つのプロング62bおよび62bは、２つのプロング用孔46bおよび46bの間隔に対応した間隔を隔てて形成され、接続部64bは、接続部用凹部48bの形状に対応した形状に形成される。このプロング部材60bは、２つのプロング62bおよび62bを他方の本体22bの側部26bの右面側から２つのプロング用孔46bおよび46bに挿入し、接続部64bを接続部用凹部48bに嵌め込むことによって、他方の本体22bに簡単に取り付けられる。これらのプロング62bおよび62bも、それぞれ、表紙12の第２の固定部分18b側から第１の固定部分18a側に向かうようにのびて、背表紙12cの折曲部16cを中心軸として背表紙12c側とは反対側に膨らむ円弧状に形成される。また、これらのプロング62bおよび62bは、綴じ具20の一方の本体22aおよび他方の本体22bを閉じることによって、プロング62aおよび62aの内側でプロング62aおよび62aの互いに対向する面に重なるように形成される。なお、プロング62aおよび62bは、そのように重なると断面６角形状となるように、それぞれが断面台形状に形成されている。
[0029]この綴じ具20では、一方の本体22aおよび他方の本体22bを閉じることによって、２組のプロング62aおよび62bが重なるが、重なる２組のプロング62aおよび62bをたとえば紙などの被綴じ物に形成された２つの綴じ穴にそれぞれ通すことによって紙などの被綴じ物が綴じられる。この場合、１組のプロング62aおよび62bが１つの綴じ穴に通される。
また、各プロング62aおよび62bは、背表紙12cの折曲部16cを中心軸として同じ半径の円弧状に形成されているので、一方の本体22aおよび他方の本体22bを折曲部16cを中心軸として開閉した場合に、折曲部16cを中心軸とする同じ半径の円弧上を回動するので、プロング62aおよび62bで被綴じ物を綴じ穴から破ってしまうおそれが少ない。
さらに、各プロング62aおよび62bは、背表紙12c側とは反対側に膨らむ円弧状に形成されているので、一方の本体22aおよび他方の本体22bを少し開いた場合に、プロング62aおよび62bに綴じられている被綴じ物をプロング62aおよび62bに沿ってめくりやすい。
また、各プロング62aおよび62bは、本体22aおよび22bの側部26aおよび26bに形成されたプロング用孔46aおよび46bなどによって、背表紙12cから離れた状態で設けられているが、背表紙12cとプロング62aおよび62bとの間隔は、被綴じ物の綴じ穴から端部に対応して設けられ、背表紙12cとプロング62aおよび62bとの間隔には、被綴じ物の綴じ穴から端部を折れ曲がりにくいように収納することができる。
[0030]また、他方の本体22bには、たとえばポリアセタール（POM）などの合成樹脂からなるレバー部材70が摺動可能に設けられる。レバー部材70は、一方の本体22aおよび他方の本体22bを開く際に用いられるものであって、図10および図13に示すように、棒状の摺動部72を含む。摺動部72は、断面形状が他方の本体22bに形成された摺動部用溝40の断面形状と同様な矩形状に形成される。この摺動部72は、その長手方向における一端を除いた中央から他端が摺動部用溝40に嵌め合わされ、摺動部用溝40の長手方向に沿って摺動可能に設けられる。この場合、摺動部72の長手方向における一端は表紙12の下端側に配置され、摺動部72の長手方向における他端は表紙12の上端と下端との中間に配置される。
[0031]摺動部72の長手方向における中央の上部および他端側の上部には、板状の２つの引掛部74および74が、２つの引掛部用孔42および42と同様な間隔を隔てて形成される。これらの引掛部74および74は、２つの引掛部用孔42および42から上方に突き出るように配置される。
また、これらの引掛部74および74は、引掛部用孔42および42の中で摺動部用溝40および摺動部72の長手方向に移動することができるように、摺動部用溝40および摺動部72の長手方向に見て、引掛部用孔42および42の長さより短く形成される。この場合、これらの引掛部74および74は、引掛部74および74を引掛部用孔42および42の長手方向における一端側（表紙12の下端側）に移動した際に、引掛部74および74から２つのロック部材32および32のフック部分34a、34bが外れるとともに、引掛部74および74を引掛部用孔42および42の長手方向における他端側（表紙12の上端側）に移動した際に、引掛部74および74に２つのロック部材32および32のフック部分34a、34bを引っ掛けることができるように形成される。
さらに、これらの引掛部74および74は、先端部からフック部分34a、34bが不用意に外れにくいようにするために、フック部分34a、34bが引っ掛かっている際にフック部分34a、34bの平面34a1、34b1に当る先端部の右側に、摺動部72の長手方向に平行する平面74aおよび74aを有する。
また、これらの引掛部74および74は、先端部にフック部分34a、34bが引っ掛かりやすいようにするために、フック部分34a、34bを引っ掛ける際にフック部分34a、34bの右肩上がりに傾斜する斜面34a2、34b2に接触する先端部の端面に、右肩上がりに傾斜する斜面74bおよび74bを有する。
[0032]さらに、摺動部72の長手方向における他端部分には、たとえば湾曲した板状のばね部76が一体的に形成される。この場合、摺動部72の長手方向における他端部分の上部において、直方体状の端部72aより中央側に凹部72bが形成され、ばね部76は、その端部72aから凹部72b内に、ばね性を有するように上方に膨らむ円弧状にのびて形成される。このばね部76は、他方の本体22bに形成されたばね部用孔44内に挿入され、ばね部76の先端は、本体22bにおいてばね部用孔44の長手方向における一端側の部分を規定する下方に突出した突出部44aに当接される。このばね部76によって、２つのロック部材32および32のフック部分34a、34bが引掛部74および74に引っ掛かるように、摺動部72が他方の本体22bに形成された摺動部用溝40の長手方向における他端側（表紙12の上端側）に向かう一方向に付勢される。
[0033]摺動部72の長手方向における一端部分には、つまみ部78が形成される。つまみ部78は、背表紙12cの内側であって表紙12の下端側に配置され、摺動部72より幅の太い胴部78aを有し、胴部78aの先端部には、右方、左方および上方の３方に突出する湾曲板状の引掛片78bが形成される。このつまみ部78は、２つのロック部材32および32のフック部分34a、34bが引掛部74および74から外れるように、摺動部72をばね部76の付勢力に抗して一方向とは反対側の方向に、すなわち摺動部用溝40の長手方向における他端側から一端側（表紙12の上端側から下端側）への方向に摺動する際に摘まれるものである。
[0034]上述のレバー部材70の摺動部72、引掛部74、74、ばね部76およびつまみ部78は、合成樹脂で一体的に形成される。また、このレバー部材70は、他方の本体22bが背表紙12cに固着される前に、他方の本体22bに嵌め込まれて簡単に取り付けられる。
[0035]このファイル10は、綴じ具20が一方の本体22a、他方の本体22b、一方のプロング部材60a、他方のプロング部材60bおよびレバー部材70で構成され、綴じ具22を構成する部品点数が少ないので、綴じ具22ないしはファイル10を製造しやすく、安価に製造することができる。
[0036]また、このファイル10では、綴じ具20の一方のプロング部材60aおよび他方のプロング60b部材は、それぞれ、円弧状の２つのプロング62aおよび62aまたは62bおよび62bが直線状の１つの接続部64aまたは64bの両端からのびて略コ字状に形成されたものであり、一方のプロング部材60aにおける２つのプロング62aおよび62aを一方の本体22aに形成された２つのプロング用孔46aおよび46aに挿入することによって、一方のプロング部材60aが一方の本体22aに取り付けられ、他方のプロング部材60bにおける２つのプロング62bおよび62bを他方の本体22bに形成された２つのプロング用孔46bおよび46bに挿入することによって、他方のプロング部材60bが他方の本体22bに取り付けられるので、綴じ具20を組み立てる際に一方の本体22aに対してプロング62aおよび62aを位置決めしやすいとともに、他方の本体22bに対してプロング62bおよび62bを位置決めしやすい。また、プロング部材60aおよび60bの接続部64aおよび64bは、接続部用凹部48aおよび48bに嵌め込まれるので、突出して邪魔になることがない。
[0037]さらに、このファイル10では、綴じ具20のレバー部材70は、摺動部72、引掛部74、74、ばね部76およびつまみ部78が合成樹脂で一体的に形成されているので、レバー部材の摺動部やばね部などを別々に形成する場合に比べて、部品点数が少なくなるので、レバー部材70や綴じ具20ひいてはファイル10を組み立てやすく、安価に製造することができる。
[0038]また、このファイル10では、綴じ具20の一方の本体22aおよび他方の本体22bが完全に閉じた状態において突き当たる一方の本体22aの右側面および他方の本体22bの左側面と一方の本体22aの第１の背表紙部分12c1に対向する底面および他方の本体22bの第２の背表紙部分12c2に対向する底面とのそれぞれの間の角度が鋭角であるたとえば80度であるので、表紙12の表表紙12aおよび裏表紙12bを完全に閉じた際に、すなわち、一方の本体22aおよび他方の本体22bを完全に閉じた際に、背表抵12cの幅方向における中央部分が外側に突出したようになり、表紙12の幅を背表紙12cの実寸幅より狭くすることができ、省スペースに適する。
さらに、このファイル10では、上述のそれぞれの間の角度が80度であるとともに、表紙12の固定部14aの両側の部分（第１の背表紙部分12c1および第１の固定部分18a）の主面間の角度および表紙12の固定部14bの両側の部分（第２の背表紙部分12c2および第２の固定部分18b）の主面間の角度がそれぞれ80度と補角になる100度であるので、表紙12の表表紙12aおよび裏表紙12bを完全に閉じた際に、表表紙12aおよび裏表紙12bが平行した状態になり、この点でも省スペースに適する。
[0039]このファイル10では、図３および図４に示すように、２つのロック部材32および32のフック部分34aおよび34aをレバー部材70の引掛部74および74に引っ掛けることによって、綴じ具20の一方の本体22aおよび他方の本体22bを完全に閉じた状態で保持することができる。この場合、引掛部74がばね部76によってフック部分34a側に付勢されているとともに、互いに接するフック部分34aの平面34a1と引掛部74の平面74aとが、ロック部材32ののびる方向すなわちロック部材32の開閉される方向と直交するように形成されているので、フック部分34aが引掛部74から不用意に外れにくい。そのため、綴じ具20の一方の本体22aおよび他方の本体22bが不用意に開きにくい。
[0040]また、このファイル10では、図５および図６に示すように、２つのロック部材32および32のフック部分34bおよび34bをレバー部材70の引掛部74および74に引っ掛けることによって、綴じ具20の一方の本体22aおよび他方の本体22bを完全に閉じた状態と完全に開いた状態との中間の状態で保持することができる。この中間の状態で保持すれば、プロング62aおよび62bに綴じられている紙などの被綴じ物が緩められるので、綴じられている紙などの被綴じ物がめくりやすく、綴じられている紙などの被綴じ物の表裏面に表示されている情報などが閲覧しやすくなる。
また、このファイル10では、上述の中間の状態において綴じ具20の一方の本体22aおよび他方の本体22bが10度ずつ開くように、２つのロック部材32および32のフック部分34bおよび34bが所定の位置に形成されている。そのため、このファイル10では、その中間の状態において、綴じ具20の一方の本体22aの第１の背表紙部分12c1に対向する底面と他方の本体22bの第２の背表紙部分12c2に対向する底面とが実質的に一平面に存在するように形成されていることになり、綴じ具20ひいてはファイル10を一平面上に安定的に置くことができる。
なお、この中間の状態においては、引掛部74がばね部76によってフック部分34b側に付勢されているとともに、互いに接するフック部分34bの平面34b1と引掛部74の平面74aとが、ロック部材32ののびる方向すなわちロック部材32の開閉される方向と直交するように形成されているので、フック部分34bが引掛部74から不用意に外れにくい。そのため、綴じ具20の一方の本体22aおよび他方の本体22bが不用意にそれ以上開きにくい。
[0041]さらに、このファイル10では、図７および図８に示すように、２つのロック部材32および32のフック部分34a、34bをレバー部材70の引掛部74および74から外すことによって、綴じ具20の一方の本体22aおよび他方の本体22bを完全に開いた状態で保持することができる。
[0042]上述のように、２つのロック部材32および32のフック部分34a、34bをレバー部材70の引掛部74および74から外すためには、つまみ部78を摘んで摺動部72をばね部76の付勢力に抗して一方向とは反対側（表紙12の下端側）の方向に摺動するとともに、一方の本体22aおよび他方の本体22bを開けばよい。
[0043]逆に、２つのロック部材32および32のフック部分34a、34bをレバー部材70の引掛部74および74に引っ掛けるためには、ばね部76の付勢力に抗して、一方の本体22aおよび他方の本体22bを閉じればよい。この場合、フック部分34a、34bおよび引掛部74に斜面34a2、34b2および74bが形成されているので、つまみ部78を摘んで摺動部72をばね部76の付勢力に抗して一方向とは反対側（表紙12の下端側）の方向に引っ張って摺動しなくても、摺動部72がその方向に摺動するので、一方の本体22aおよび他方の本体22bを簡単に閉じることができる。
[0044]図15はこの発明が適用されるファイルの他の例を示す平面図である。図15に示すファイル10は、図１に示すファイル10と比べて、一方の本体22aおよび他方の本体22bが、表紙12の上端近傍から下端近傍までの長さとほぼ同じ長さに形成される。また、一方の本体22aおよび他方の本体22bには、図１に示すファイル10と同様にして、２組のプロング部材60aおよび60bが取り付けられる。ただし、２組のプロング部材60aおよび60bの４組のプロング62aおよび62bは、等間隔を隔てて配置される。さらに、一方の本体22aおよび他方の本体22bには、各組のプロング部材60aおよび60bの中央に、２組のロック部材32、ロック部材用孔38および引掛部用孔42が、それぞれ形成される。なお、ばね部用孔44は、他方の本体22bにおいて表紙12の上端側に形成される。また、レバー部材70は、摺動部72が他方の本体22bの長さに対応した長さに形成され、２つの引掛部74、74およびばね部76が２つの引掛部用孔42、42およびばね部用44に対応してそれぞれ形成される。なお、一方の本体22aおよび他方の本体22bには、３つずつの取付用孔30aおよび30bが等間隔を隔てて形成される。
[0045]図15に示すファイル10は、図１に示すファイル10が２穴用のものと使用されるのに対して、４穴用のものとして使用される。
このように本発明は、２穴用のものだけでなく、４穴用のものなど他の多穴用のものにも適用され得る。
[0046]なお、上述の各例では、表紙12と、綴じ具20の本体22a、22bと、プロング部材60a、60bと、レバー部材70とが、特定の形状や特定の構造で形成されているが、それらは他の形状や他の構造で形成されてもよい。たとえば、表紙12の表表紙12aや裏表紙12bは横長に形成されてもよい。本体22a、22bは、それぞれブロック状に形成されてもよく、また、反転して、本体22aが第２の背表紙部分12c2に取り付けられるとともに、本体22bが第１の背表紙部分12c1に取り付けられてもよい。プロング62aおよび62bは、重なると断面略円形状となるように、それぞれが断面略半円形状に形成されてもよく、また、重ならないように間隔を隔てて配置され、個々のプロング62aまたは62bがたとえば紙などの被綴じ物に形成された個々の綴じ穴に通されるように形成されてもよい。また、レバー部材70は引っ張るのではなくて押すことによってフック部分が引掛部から外れるように構成されてもよい。さらに、レバー部材70などのロック部材32に引っ掛かるための構造が一方の本体22a側に設けられ、ロック部材32が他方の本体22b側に形成されてもよい。
[0047]また、上述の各例において、表紙12の固定部14a（14b）の両側の部分の主面間の角度、本体22a（22b）の側面および底面間の角度、本体22a（22b）の基部24a（24b）および側部26a（26b）の両主面間の角度は、それぞれ、任意に変更されてもよい。
[0048]また、上述の各例では、２つのロック部材32および32を有するが、この発明では、１つまたは３つ以上のロック部材を有するようにしてもよい。
[0049]さらに、上述の各例では、１つのロック部材32に２段のフック部分34aおよび34bが形成され、２段のフック部分34aおよび34bが綴じ具20の完全に閉じた状態と中間の状態とで用いられるが、この発明では、２段のフック部分の代わりに１つのフック部分または３段以上のフック部分が１つのロック部材に形成されてもよい。
このように１つのフック部分が形成される場合には、そのフック部分は綴じ具が完全に閉じた状態で用いられるようにすればよい。また、このように３段以上のフック部分が形成される場合には、それらのフック部分は綴じ具が完全に閉じた状態、２段以上の中間の状態で用いられるようにすればよい。
[0050]また、上述の各例では、一方のプロング部材60aおよび他方のプロング部材60bがたとえばステンレスなどの金属で形成されているが、この発明では、それらのプロング部材は金属の代わりにたとえば合成樹脂などの材料で形成されてもよい。
産業上の利用可能性
[0051]この発明にかかる綴じ具は、たとえば２穴用や４穴用など多穴用のファイル・バインダ類の綴じ具に適用できる。
【図１】
0004642857.tif 000002
【図２】
0004642857.tif 000003
【図３】
0004642857.tif 000004
【図４】
0004642857.tif 000005
【図５】
0004642857.tif 000006
【図６】
0004642857.tif 000007
【図７】
0004642857.tif 000008
【図８】
0004642857.tif 000009
【図９】
0004642857.tif 000010
【図１０】
0004642857.tif 000011
【図１１】
0004642857.tif 000012
【図１２】
0004642857.tif 000013
【図１３】
0004642857.tif 000014
【図１４】
0004642857.tif 000015
【図１５】
0004642857.tif 000016